(57)【要約】      （修正有）【課題】クローズドルーフ状態とオープンルーフ状態の間の変換がより容易であり、かつ／または、屋根の開放位置においても屋根がはずされずに残る乗用車を提供する。【解決手段】運転席と乗客席を備えたハードトップタイプの乗用車であり、シャーシと、少なくとも実質的にＵ字形の屋根構造を有する客室をもつ本体とを含み、屋根構造は、乗用車の座席の少なくとも一部を覆い、座席の少なくとも一部の上で取り除かれ、再び元の位置に戻すことが可能である。実質的にＵ字形の屋根構造は、少なくとも２つの実質的に保形の入れ子可能な屋根部材を含む。屋根部材は、少なくとも被覆位置において、互いに対して移動可能であり、少なくとも実質的に一方が他方の裏側に位置する。【選択図】図２
0003195256.tif 000002
【実用新案登録請求の範囲】
【請求項１】
運転席と乗客席を備えたハードトップタイプの乗用車であって、
前記乗用車は、シャーシと、少なくとも実質的にＵ字形の屋根構造を有する客室をもつ本体とを含み、
前記屋根構造は、前記乗用車の座席の少なくとも一部を覆い、前記屋根構造は、前記座席の少なくとも一部の上で取り除かれ、再び元の位置に戻すことが可能であり、
前記実質的にＵ字形の屋根構造は、少なくとも２つの実質的に保形の入れ子可能な屋根部材を含み、
前記屋根部材は、少なくとも被覆位置において、互いに対して移動可能であり、少なくとも実質的に一方が他方の裏側に位置することを特徴とする乗用車。
【請求項２】
前記客室は、前記乗用車のＢ支柱からＣ支柱へ広がることを特徴とする請求項１に記載の乗用車。
【請求項３】
前記客室は、前記乗用車のＡ支柱からＣ支柱へ広がることを特徴とする請求項２に記載の乗用車。
【請求項４】
前記客室の長さは少なくとも３メートルであることを特徴とする請求項１から３のいずれかに記載の乗用車。
【請求項５】
前記座席の数は少なくとも６個であることを特徴とする請求項１から４のいずれかに記載の乗用車。
【請求項６】
前記座席の数は最大９個であることを特徴とする請求項１から５のいずれかに記載の乗用車。
【請求項７】
前記運転席および前記運転席の背後に配置された少なくとも２列の乗客席が前記客室に設けられることを特徴とする請求項１から６のいずれかに記載の乗用車。
【請求項８】
１以上の乗客席は、実質的に垂直な回転軸の周りに少なくとも７５度にわたって回転可能であることを特徴とする請求項１から７のいずれかに記載の乗用車。
【請求項９】
当該乗用車はマイクロバスタイプの乗用車であることを特徴とする請求項１から８のいずれかに記載の乗用車。
【請求項１０】
屋根部材は少なくとも実質的に透明であることを特徴とする請求項１から９のいずれかに記載の乗用車。
【請求項１１】
入れ子可能な屋根部材の少なくとも１つは、本体に不動に接続されることを特徴とする請求項１から１０のいずれかに記載の乗用車。
【請求項１２】
可動屋根部材がガイド部材に沿って移動可能であることを特徴とする請求項１から１１のいずれかに記載の乗用車。
【請求項１３】
前記本体は、前記可動屋根部材が移動中にガイドされる、少なくとも一つのガイド部材を備えることを特徴とする請求項１２に記載の乗用車。
【請求項１４】
少なくとも１つのガイド部材がさらなる屋根部材上に設けられ、そのさらなる屋根部材に対して前記可動屋根部材は入れ子可能であることを特徴とする請求項１２に記載の乗用車。
【請求項１５】
前記ガイド部材は、当該乗用車の長手方向に延びるレールを含むことを特徴とする請求項１２、１３または１４に記載の乗用車。
【請求項１６】
当該乗用車は、２つ以上の可動屋根部材を含み、それぞれの可動屋根部材は関連づけられたガイド部材を備えることを特徴とする請求項１２から１５のいずれかに記載の乗用車。
【請求項１７】
前記入れ子可能な屋根部材は、当該乗用車の閉状態において、当該乗用車の駆動方向に見て後ろに向かって小さくなることを特徴とする請求項１から１６のいずれかに記載の乗用車。
【請求項１８】
屋根部材は、屋根部分と２つの窓部分を含むことを特徴とする請求項１から１７のいずれかに記載の乗用車。
【考案の詳細な説明】
【技術分野】
【０００１】
本発明は、請求項１のプリアンブルに係る乗用車に関する。特に明記しない限り、ここで使用される「取り除く」という用語は、元の車両被覆位置から取り除くことを意味すると理解される。
【背景技術】
【０００２】
このような乗用車はカブリオ・バス（ほろ付きバス）として知られている。既知のカブリオ・バスは、バス本体に着脱可能に取り付けられる実質的にＵ字形の屋根構造を有する。既知のカブリオ・バスをクローズドバスからオープンバスへ変換する際、屋根構造が分離され、屋根構造または少なくとも屋根構造の取り外し可能な部分が本体から除去され、一時的にバスの外に保管される。カブリオ・バスはこうしてオープンルーフで使用することができる。カブリオ・バスの屋根が閉じられるとき、屋根構造の取り外し可能な部分が一時的に保管されている場所にバスは運転される。その場所で、屋根構造は再び本体上に置かれ、本体に取り付けられる。
【考案の概要】
【考案が解決しようとする課題】
【０００３】
既知のカブリオ・バスの欠点は、クローズドルーフ状態からオープンルーフ状態への変換およびその逆の変換が、比較的面倒な作業であるという事実である。さらに、屋根構造の取り外し可能な部分はバスから分離されるため、天候が急変した場合に屋根構造を元に戻して利用することができない。
【０００４】
従って、本考案の目的は、クローズドルーフ状態とオープンルーフ状態の間の変換がより容易であり、かつ／または、屋根の開放位置においても屋根が乗用車に残る、導入部で説明したような乗用車を提供することである。
【課題を解決するための手段】
【０００５】
この目的は、本発明により達成される。本発明において、実質的にＵ字形の屋根構造は、少なくとも２つの実質的に保形の入れ子可能な屋根部材を含む。これらの屋根部材は、少なくとも被覆位置において、互いに対して移動可能であり、少なくとも実質的に一方が他方の裏側に位置する。これは、非被覆位置において乗用車内または乗用車上の入れ子になった位置に入れ子式屋根部材を格納することを可能にする。その結果、乗用車内で、１以上の屋根部材を、乗用車の客室内の１以上の座席が屋根部材で覆われている元の位置から入れ子になった位置に移動させることで、元の位置から取り除くことができる。これは、その格納場所が客室内の乗客のためのスペースを不愉快なほど占有することなく、あるいは、少なくともスペースをほとんど占有してしまうことなく、実現される。この例は、ＰＣＴ／ＮＬ／２０１２／０５０５６５４に説明されている。したがって、被覆位置から取り除かれた屋根部材は、その取り除かれた位置でもまた、常に乗用車によって運ばれることができるため、本発明の目的は、（少なくとも部分的に）達成される。屋根部材の「非被覆位置」という用語は、屋根部材が被覆位置にある座席上方の客室の部分を覆わない屋根部材の位置を意味すると解される。もっとも、入れ子になった屋根部材は協働して、客室の別の部分、または少なくとも乗用車の別の部分を覆ってもよい。
【０００６】
屋根の開放位置において屋根部材を乗用車内で互いに対してコンパクトに格納可能なハードトップコンバーチブル型の乗用車が、その状態における屋根部材の相対位置が入れ子になっているとみなされる限りにおいて、存在するのは確かであるが、その場合にはより少ない座席、原則としてせいぜい２列の座席しか備えない車両が検討されているという重要な違いがある。乗用車の屋根の保形性のある部材をたとえば車のトランクに格納できるように、屋根構造の取り外し可能な部分は比較的小さい。
【０００７】
乗用車型の既知のコンバーチブル車は、可撓性のファブリックを備えたヒンジ付きフレームを含む。このファブリックは、屋根として機能し、車の走行方向に見て後方のヒンジ付きフレームのヒンジ部材を揺動させることによって開いて折り畳むことができる。ファブリックはそれ自体の上に折り畳まれ、屋根の開放位置において比較的少ししかスペースを取らない。もっとも、これはハードトップコンバーチブルタイプではない。そのような屋根の欠点は、その構造に保形性がなく、屋根構造の閉じた位置においても乗員が天候の影響に比較的容易に気づくという事実である。それに加えて、その屋根構造の取り外し可能な部分の窓は、バスの閉じた位置においてそこから外を見るのにあまり適していない。これらは可撓性のプラスチック材料で作られている。
【０００８】
米国特許６，８５１，７４１号は、拡張可能な貨物エリアをもつ、乗客および貨物の結合車両を記述する。貨物エリアは運転席の背後で折り畳み式の座席を用いて拡張可能である。（折り畳み式の）座席が位置する部分は、固定された屋根部材によってその全体が恒久的に覆われている。恒久的な貨物部分は貨物台に対する可動屋根部材であるため、貨物空間の覆いは部分的に取り除くことができる。
【０００９】
米国特許６，９９７，５０２号は、重複部分に移動可能なハードカバーの屋根部材を備えた貨物を含む軽トラックを記述する。乗客部分は、固定カバーとパーティションを用いて貨物部分から分離されている。
【００１０】
好ましくは、客室は、乗用車のＢ支柱からＣ支柱へ広がる。このようにして、運転席の背後に全長にわたって広がる客室が設けられる。
【００１１】
客室は、乗用車のＡ支柱からＣ支柱へ広がるならば、さらに好ましい。このようにして、客室は実質的に乗用車全体にわたって広がるため、乗用車の空間が運転者と乗客のために最大限使用される。別の言い方をすれば、これにより、可動屋根部材を有する乗用車内の座席の大部分を覆うことが可能になる。
【００１２】
客室の長さは少なくとも３メートルであるならば、可動屋根部材によって覆われる客室の部分は、乗用車を旅行者のためのツアー車として用いるために十分大きくなる。可動カバーは、乗用車の外の環境のより良い眺めを旅行者に提供する。
【００１３】
乗用車と運転手を効率良く利用するために、座席の数は少なくとも６個であるならば好ましい。こうして、少なくとも６人を乗用車によって連れ回すことが可能である。
【００１４】
他方、座席の数は最大９個であるならば好ましい。（少なくとも欧州の）規制によれば、オランダでＢライセンスと呼ばれる、乗用車を運転するための免許証をもつ運転手は、最大９席の乗用車を運転することが許される。このようにして、そのような運転免許証をもつ者は、原則、さらなる証明書や免許証をもつことを要求されることなく、好ましい本実施の形態に係る乗用車を運転することが許される。
【００１５】
本発明の好ましい実施の形態では、運転席および運転席の背後に配置された少なくとも２列の乗客席が客室に設けられる。これらの２列は、乗用車の長手方向の軸に対して平行または垂直に延びてもよく、個々の座席または座席集合体を含む。
【００１６】
１以上の乗客席が実質的に垂直な回転軸の周りに少なくとも約９０度、好ましくは１８０度にわたって回転可能であるならば、客室の柔軟な配置を実現できる。あるいは、個々の座席または座席集合体の形態の座席を乗用車から取り外し、修正した角度で乗用車に再度取り付けてもよい。
【００１７】
好ましくは、当該乗用車はマイクロバスタイプの乗用車である。
【００１８】
１つの屋根部材を通して、あるいは入れ子になった位置に格納された多数の屋根部材を通してバスからの良い眺めを提供するために、屋根部材が少なくとも実質的に透明であるならば好ましい。
【００１９】
本発明の好ましい実施の形態では、入れ子可能な屋根部材の少なくとも１つは、本体に不動に接続される。他の屋根部材は、前記少なくとも１つの不動の屋根部材に対して入れ子にすることができる。不動屋根部材は可動屋根部材よりも大きく、可動屋根部材が不動屋根部材内に収容可能であるならば、好ましい。最も大きい（不動）屋根部材は、特にバスの運転中に、可動屋根部材に与える天候の影響に対して十分な保護を与える。
【００２０】
好ましくは、可動屋根部材は、ガイド部材に沿って移動可能である。これにより、移動可能な屋根部材をガイドに沿って比較的単純な案内される形で所望の位置に移動させることができる。もっとも、ガイドは移動中の優れた援助となるが、ガイドの提供は必ずしも必要ではない。可動屋根部材を単純に乗用車から取り外し、例えば、その後、乗用車内または乗用車上の所望の位置に移動させ、例えば人が運んでもよい。
【００２１】
本発明の好ましい実施の形態において、前記本体は、前記可動屋根部材が移動中にガイドされる、少なくとも一つのガイド部材を備える。本体のガイド部材は可動屋根部材のガイド部材と協働することができるため、これらのガイドの協働を通じて簡単な方法で可動屋根部材が屋根の閉位置と開位置との間を案内されることが可能になる。
【００２２】
あるいは、またはさらに、少なくとも１つのガイド部材がさらなる屋根部材上に設けられ、そのさらなる屋根部材に対して前記可動屋根部材は入れ子可能である。このような状況では、例えば、引き出しが摺動可能に収容されたキャビネットと当該引き出しとが協働するようなやり方で、可動屋根部材上のガイド部材は、前記さらなる屋根部材上の前記少なくとも１つのガイド部材と協働することができる。
【００２３】
好ましくは、乗用車の長手方向に屋根の開位置から閉位置へ可動屋根部材を移動させることができるように、前記ガイド部材は、乗用車の長手方向に延びる１以上のレールを含む。
【００２４】
本発明の好ましい実施の形態では、乗用車は、２つ以上の可動屋根部材を含み、それぞれの可動屋根部材は関連づけられたガイド部材を備える。乗用車の可動屋根部材の数が大きいならば、少なくとも屋根部材がほぼ同じ長さである場合、屋根構造の比較的大きな部分を除去することができる。２つの屋根部材が使用され、一つは可動である場合、約半分の屋根構造は、１つの可動屋根部材を不動屋根部材に入れ子にすること（またはその逆）によって取り除くことができる。３つの可動屋根部材を１つの不動屋根部材に入れ子にすることができれば、屋根構造の約四分の三を取り除くことができる。さらに、比較的小さな屋根部材は移動させるのが比較的容易である。他方、次の各入れ子式の可動屋根部材は先行する屋根部材よりも小さくする必要があり、その結果、乗用車内の空間、すなわち最も小さい屋根部材によって覆われる空間が、（あまりにも）多くの屋根部材の存在によって制限される状況になるのを回避しなければならない。
【００２５】
本発明の好ましい実施の形態では、屋根部材は、屋根部分と２つの窓部分を含む。すなわち、屋根構造の逆Ｕ字形の土台が屋根部分を含み、逆Ｕ字形の脚部が窓部分を含む。したがって、閉位置において可動屋根部材によって覆われる乗客スペースの上および横のスペースは、可動屋根部材を移動させることにより、一度に取り除くことができる。あるいは、屋根部材の屋根部分は上述のような方法で乗用車の長手方向に移動可能であり、屋根部材の窓部分は屋根部分から分離されるため、たとえば乗用車の車の窓に似た周知の方法で、窓部分を垂直方向に本体内に収容することができる。垂直ガイドは窓部分のより低い位置において脆弱であるだけでなく、乗客の安全が垂直ガイドの存在によって影響を受ける可能性があるという理由から、本体の上方に窓に対する垂直ガイドが存在することは避けることが好ましい。
【図面の簡単な説明】
【００２６】
本発明を以下の添付図面を参照しながら説明する。
【図１】図１は、本発明に係る閉じた状態の乗用車の実施の形態の側面図であり、図１ａは、図１の乗用車の乗客部分の上面図である。
【図２】図１のバスの開いた状態の側面図であり、図２ａは、図２の乗用車の乗客部分の上面図である。
【考案を実施するための形態】
【００２７】
ここで図１を参照すると、前壁３、２つの側壁４および後壁（図示しない）を含む本体２を有する旅客バス１が示されている。本体は、２つのＡ支柱５、２つのＢ支柱６、および２つのＣ支柱８を有する。右側のＡ支柱５とＢ支柱６との間に扉９が存在し、それを介して乗客が乗り降りすることができる。各側のＡ支柱５とＢ支柱６との間に窓１０を有する扉９が配置される。旅客バス１は運転手用および乗客用座席列１１ａ−ｄを備える。旅客バス１は、もちろん、旅客バス１の機能を有効にする、当業者に公知の通常の手段をさらに備える。運転席１１ａの上方、窓１０の近傍には、従来の屋根１２の一部が延びている。従来の屋根１２（の一部）には天窓（図示しない）が設けられている。本体２は、さらに、ガイド部１３ａが設けられている。旅客バス１は、１つの不動屋根部材１２ａと、透明なプラスチックのフレーム１４で作られている２つの可動屋根部材１５ａ、１５ｂとを有する。駆動方向に見て屋根部材１２ａの後端部では、屋根部材１２ａは、短い距離だけ屋根部材１５ａに重なる。屋根部材１２ａと屋根部材１５ａとの間にはシール（図１および図２には図示せず）が設けられる。屋根部材１５ａが屋根部材１２ａの一部において摺動することができ、図１に示すように屋根部材１５ａ、１５ｂの閉位置に降水や風のような天候の影響に対するシールが設けられる。同等の構成は、屋根部材１５ａと屋根部材１５ｂとの間に設けられる。背面側では、屋根部材１５ｂは、Ｃ支柱８と、それらの間に存在する屋根部１６とに対して密封性をもって接する。
【００２８】
図１ａは、旅客バス１の乗客部分の上面図であり、乗客用座席１１ｃおよび１１ｄを覆う位置にある可動屋根部材１５ａおよび１５ｂを示す。この位置は、図１に示す位置に対応している。座席は、２座席、２座席、および３座席の３列で配置される。座席はまた、間に１つの座席が配置された２列の３座席で長手方向に配置される。事実、任意の３行３列の行列のシート配列が可能である。また他の配置も考えられる。運転席のそばに乗客席を設けないならば、列１１ｂまたは１１ｃに付加的な座席を配置してもよい。個々の座席を、垂直軸の周りに９０度ないし１８０度にわたって回転した位置に配置してもよい。
【００２９】
図２は図１の旅客バス１を示す。図２において、旅客バス１の対応する部分は図１と同じ番号によって示されている。図２では、旅客バス１は、開放位置での屋根構造で示されている。屋根部材１５ｂは、ガイドレール１３上を元の位置（図１参照）から屋根部材１５ａの下の位置まで移動する。続いて二つの屋根部材１５ａ、１５ｂは結合して屋根１２ａの一部の下の位置にまで移動する。このようにして、座席列１１ｃおよび１１ｄは、もはや覆われなくなる。座席列１１ａおよび１１ｂは、屋根１２、屋根部材１２ａ、格納された屋根部材１５ａおよび１５ｂによって覆われている。屋根部材１５ａ及び１５ｂのこの位置を、ここでは非被覆位置または非被覆状態と呼ぶ。結局のところ、座席１１ａ、１１ｂおよび屋根部材１５ａ、１５ｂは、それぞれ屋根１２および屋根部材１２ａによって覆われる。屋根部材１５ｂは屋根部材１５ａよりも小さく、屋根部材１５ａは屋根１２よりも小さいという順番にあるため、屋根部材１５ａおよび１５ｂは、図２に示す格納位置において運転中に風などの影響を受けることはない。
【００３０】
図２ａは、図２に示された状態における旅客バス１の乗客部分の上面図を示す。上面図が示すように、５つの座席１１ｃ、１１ｄは覆いを取り除かれ、屋根部材１５ａ、１５ｂは屋根部材１２ａの下に格納されている。
【００３１】
図面および説明において、本発明はそのいくつかの実施の形態に基づいて示され、説明された。もっとも、当業者には自明であるかそうではない多数の変形が、以下の請求の範囲で定義される範囲内で考えられることが理解されるであろう。屋根部材は、車の正面ではなく、車の後部、あるいは車の中央で、入れ子可能であってもよい。可動屋根部材の数は、代替的に１，３，４、またはそれ以上であってもよい。屋根部材は、全体的または部分的にプラスチック材料以外の材料で作ってもよい。たとえば、ガラスまたは別の透明材料、あるいは非透明材料であってもよい。屋根部材のロックは、何らかのガイドと相互作用させて、あるいは相互作用させることなく、多くの異なる方法で行うことができる。別々のガイド部材でガイドする代わりに、屋根部材を共通の１つのガイドなどでガイドしてもよい。説明は確かにマイクロバスに関するものであるが、キャンピングカーも添付の請求の範囲内であることが理解されよう。プライバシーの理由で、上記の説明とは対照的に、１以上の屋根部材が透明性の少ない（または不透明の）材料で作られてもよい。
【図１】
0003195256.tif 000003
【図１ａ】
0003195256.tif 000004
【図２】
0003195256.tif 000005
【図２ａ】
0003195256.tif 000006